(57)【要約】【課題】結束バンドにおける切断された余った部分が飛び散ることを抑制する。【解決手段】結束バンドカッター１では、結束バンド５１における余った部分５４を切断し、本体１１の収容室１５に収容することができる。これにより、切断された余った部分５４が飛び散ることを抑制することができるとともに、余った部分５４を回収することが容易となる。【選択図】図４
2020195663.tif 000002
【特許請求の範囲】
【請求項１】
一方の端に止め具を有し他方の端を該止め具の開口に進入させループ状にして被結束物を結束している長尺状の結束バンドにおける、該止め具から飛び出している該他方の端の余った部分を、切り刃で切断する結束バンドカッターであって、
該他方の端の該余った部分を収容する収容室と、
該収容室に該止め具が入ることを抑制するストッパと、
該止め具の外側面に沿って移動可能なように該切り刃を支持するガイドと、
を備えた結束バンドカッター。
【発明の詳細な説明】
【技術分野】
【０００１】
本発明は、結束バンドカッターに関する。
【背景技術】
【０００２】
特許文献１および２に開示のように、電線や配管などの被結束物を結束する長尺の結束バンドの余った部分を切断する結束バンドカッターがある。
【先行技術文献】
【特許文献】
【０００３】
【特許文献１】特開２０１６−１１６８０９号公報
【特許文献２】特開２０１８−０５７６１０号公報
【発明の概要】
【発明が解決しようとする課題】
【０００４】
結束バンドにおける切断された部分は、ゴミとなる。この切断された部分が周囲に飛び散ると、清掃が必要になる。
【０００５】
本発明の目的は、結束バンドを切断する際に、切断された部分が飛び散ることを抑制することにある。
【課題を解決するための手段】
【０００６】
本発明の結束バンドカッター（本結束バンドカッター）は、一方の端に止め具を有し他方の端を該止め具の開口に進入させループ状にして被結束物を結束している長尺状の結束バンドにおける、該止め具から飛び出している該他方の端の余った部分を、切り刃で切断する結束バンドカッターであって、該他方の端の該余った部分を収容する収容室と、該収容室に該止め具が入ることを抑制するストッパと、該止め具の外側面に沿って移動可能なように該切り刃を支持するガイドと、を備えている。
【発明の効果】
【０００７】
本結束バンドカッターでは、結束バンドにおける余った部分を切断し、収容室に収容することができる。これにより、切断された余った部分が飛び散ることを抑制することができるとともに、余った部分を回収することが容易となる。
また、本結束バンドカッターは、余った部分の切断の際、止め具の外側面に沿って移動可能なように切り刃を支持するガイドを備えている。これにより、切り刃を良好に移動させることができるので、余った部分を適切に切断することができる。
【図面の簡単な説明】
【０００８】
【図１】結束バンドの使用例を示す説明図である。
【図２】実施形態にかかる結束バンドカッターの斜視図である。
【図３】実施形態にかかる結束バンドカッターの断面図である。
【図４】実施形態にかかる結束バンドカッターの断面図である。
【発明を実施するための形態】
【０００９】
本実施形態にかかる結束バンドカッターは、被結束物を結束している長尺状の結束バンドの余った部分を切断するために用いられる。
【００１０】
すなわち、図１に示すように、結束バンド５１は、ストラップ部５３と、ストラップ部５３の一方の端に設けられた止め具５２とを含んでいる。
【００１１】
複数の伝達線からなる被結束物Ｃを結束する際には、被結束物Ｃを囲むストラップ部５３の他方の端が、止め具５２の開口（図示せず）に進入されることにより、結束バンド５１がループ状にされる。その後、ストラップ部５３が引き絞られ、止め具５２内の爪（図示せず）によって係止される。これにより、結束バンド５１によって、被結束物Ｃが束ねられる。
【００１２】
また、この際、止め具５２から、ストラップ部５３における他方の端の余った部分（被結束物Ｃの結束に寄与していない部分）５４が突き出る。本実施形態の結束バンドカッターは、この余った部分５４を切断するものである。
なお、被結束物Ｃに含まれる伝達線は、たとえば、信号線および電力線を含む配線、ならびに、気体あるいは液体を供給あるいは吸引するための配管を含む。
【００１３】
図２に示すように、本実施形態にかかる結束バンドカッター１は、本体１１およびカッター部３１を備えている。
本体１１は、概略、中空の直方体形状を有している。本体１１は、図３に示すように、内部に、切断された余った部分５４を収容するための収容室１５を有している。
【００１４】
本体１１における−Ｙ方向の端部には、Ｚ軸方向に沿って上下動することによって収容室１５を開閉するための、回収扉１４が設けられている。回収扉１４を開くことにより、収容室１５の内部に収容されている余った部分５４を回収することができる。
【００１５】
また、図２に示すように、本体１１は、＋Ｙ側の側壁１１ａの近傍に、止め具台１２および止め具ストッパ２１を有している。
【００１６】
止め具台１２は、結束バンド５１の止め具５２（図１参照）を載置するための台であり、側壁１１ａの下端部から＋Ｙ方向に延出している。止め具台１２は、止め具５２を係止するための係止溝１３を備えている。また、止め具台１２は、結束バンド５１の余った部分５４を切断する際の切断台（カッター台）としても機能する。
【００１７】
側壁１１ａの下端中央における止め具台１２との境界部分には、収容室１５に連通する開口部１６が設けられている。開口部１６には、図３に示すように、止め具台１２の係止溝１３に係止された結束バンド５１の止め具５２から延びる余った部分５４が挿入される。
【００１８】
止め具ストッパ２１は、側壁１１ａの上端部に設けられている。止め具ストッパ２１は、収容室１５に止め具５２が入ることを抑制するためのものである。
止め具ストッパ２１は、本体１１の側壁１１ａの上端部から＋Ｙ方向に延出する延出部２２、および、延出部２２における＋Ｙ方向の下端から−Ｚ方向に延びる垂下部２３を含んでいる。
【００１９】
垂下部２３は、図３に示すように、係止溝１３に係止された止め具５２における上方向に配置され、止め具５２の上部のストラップ部５３に接触する。これにより、垂下部２３は、止め具５２が収容室１５側（−Ｙ側）に進入することを抑制している。
【００２０】
なお、垂下部２３は、係止溝１３に係止された止め具５２における−Ｙ側の外側面５２ａが、垂下部２３の−Ｙ側の側面である内側側面２３ａと略面一となるように、形成されている。
【００２１】
また、止め具ストッパ２１の延出部２２は、図２に示すように、カッター部３１の切り刃３２に貫通される貫通口２４を有している。
【００２２】
カッター部３１は、本体１１における＋Ｙ方向の端部の上部に取り付けられている。図３に示すように、カッター部３１は、押し下げ部３３を備えている。押し下げ部３３は、略直方体形状に形成されており、−Ｚ方向の面である底面３３ａから内部に向かう開口穴３４を有している。
【００２３】
押し下げ部３３は、開口穴３４に、本体１１における＋Ｙ方向の端部の上部に設けられた突出部１７が挿入されるように、本体１１に取り付けられている。
【００２４】
また、突出部１７の上面１７ａと、上面１７ａに対向する開口穴３４の底部３４ａとには、これらをつなぐように、バネ３５が取り付けられている。
【００２５】
さらに、押し下げ部３３の底面３３ａにおける＋Ｙ方向側の端部には、切り刃３２が取り付けられている。切り刃３２は、押し下げ部３３の底面３３ａから、止め具ストッパ２１の延出部２２に設けられた貫通口２４を貫通して、垂下部２３の内側側面２３ａに沿って、−Ｚ方向に延びている。
【００２６】
切り刃３２は、押し下げ部３３とともに、バネ３５を介して、突出部１７に支持されている。押し下げ部３３に外部からの押圧力が付与されていない場合には、バネ３５の弾性力により押し下げ部３３および切り刃３２が持ち上げられて、切り刃３２の先端が、止め具ストッパ２１における垂下部２３の内側側面２３ａの下端よりも上方に位置する。
【００２７】
一方、押し下げ部３３に−Ｚ方向の押圧力が付与された場合、押し下げ部３３が、バネ３５の弾性力に抗して−Ｚ方向に押し下げられる。押し下げ部３３の底面３３ａに設けられた切り刃３２も、押し下げ部３３とともに押し下げられて、切り刃３２の先端が止め具台１２にまで到達する。
この際、垂下部２３の内側側面２３ａは、止め具台１２の係止溝１３に係止された止め具５２の外側面５２ａに沿って−Ｚ方向に移動可能なように切り刃３２を支持（案内）する、ガイドとして機能する。
【００２８】
次に、結束バンドカッター１による結束バンド５１の余った部分５４の切断動作について説明する。
【００２９】
作業者は、結束バンド５１を用いて図１に示すように被結束物Ｃを結束した後、図３に示すように、結束バンドカッター１における本体１１の開口部１６に、結束バンド５１の余った部分５４を挿入する。さらに、作業者は、結束バンド５１の止め具５２を、本体１１の止め具台１２の係止溝１３に係止する。
【００３０】
その後、作業者は、図４に示すように、指先などにより押し下げ部３３に−Ｚ方向の押圧力を付与して、押し下げ部３３を押し下げる。これにより、押し下げ部３３が、バネ３５の弾性力に抗して−Ｚ方向に押し下げられる。これに伴い、切り刃３２も、垂下部２３の内側側面２３ａをガイドとして、内側側面２３ａと略面一の止め具５２における−Ｙ側の外側面５２ａに沿って、−Ｚ方向に移動する。これにより、切り刃３２の先端が、結束バンド５１の余った部分５４における止め具５２との境界部分を切断する。切断された余った部分５４は、収容室１５に収容される。
【００３１】
たとえば、作業者は、複数の結束バンド５１における余った部分５４を、結束バンドカッター１により連続的に切断して、本体１１の収容室１５に収容する。その後、作業者は、本体１１の回収扉１４を開いて、収容室１５に蓄積された複数の余った部分５４を回収する。
【００３２】
以上のように、本実施形態にかかる結束バンドカッター１によれば、結束バンド５１における余った部分５４を切断し、収容室１５に収容することができる。これにより、切断された余った部分５４が飛び散ることを抑制することができるとともに、余った部分５４を回収することが容易となる。
【００３３】
また、結束バンドカッター１では、止め具ストッパ２１の垂下部２３の内側側面２３ａが、止め具台１２の係止溝１３に係止された止め具５２の外側面５２ａと略面一となっている。これにより、余った部分５４の切断の際、垂下部２３の内側側面２３ａが、止め具５２の外側面５２ａに沿って−Ｚ方向に移動可能なように切り刃３２を支持するガイドとして機能する。これにより、切り刃３２を良好に−Ｚ方向に移動させることができるので、余った部分５４を適切に切断することができる。
【符号の説明】
【００３４】
１：結束バンドカッター、
１１：本体、１１ａ：側壁、１２：止め具台、１３：係止溝、
１４：回収扉、１５：収容室、１６：開口部、１７：突出部、
２１：止め具ストッパ、２２：延出部、２３：垂下部、２３ａ：内側側面、
２４：貫通口、
３１：カッター部、３２：切り刃、３３：押し下げ部、３４：開口穴、
３５：バネ、
５１：結束バンド、Ｃ：被結束物
５２：止め具、５２ａ：外側面、５３：ストラップ部、５４：余った部分
【図１】
2020195663.tif 000003
【図２】
2020195663.tif 000004
【図３】
2020195663.tif 000005
【図４】
2020195663.tif 000006